(57)【要約】【課題】貴重品等を誰にも見つからないよう安全に隠すことのできる仏壇を提供する。【解決手段】前面側が開口する筐体２１の内部に崇拝対象となる物品を安置する安置部、もしくは仏具等を収納する収納部２３が設けられ、前記安置部もしくは収納部２３と前記筐体２１の底面部材２７ａとの間に、外部から見えないように貴重品等保管用の隠し空間２８が形成されている構成とする。安置部もしくは収納部と筐体の側面部材との間に隠し空間を形成してもよい。また、安置部もしくは収納部と筐体の背面部材との間に隠し空間を形成してもよい。【選択図】図１
2007020871.tif 000002
【特許請求の範囲】
【請求項１】
前面側が開口する筐体の内部に崇拝対象となる物品を安置する安置部、もしくは仏具等を収納する収納部が設けられ、前記安置部もしくは収納部と前記筐体の底面部材との間に、外部から見えないように貴重品等保管用の隠し空間が形成されていることを特徴とする仏壇。
【請求項２】
前面側が開口する筐体の内部に崇拝対象となる物品を安置する安置部、もしくは仏具等を収納する収納部が設けられ、前記安置部もしくは収納部と前記筐体の側面部材との間に、外部から見えないように貴重品等保管用の隠し空間が形成されていることを特徴とする仏壇。
【請求項３】
前面側が開口する筐体の内部に崇拝対象となる物品を安置する安置部、もしくは仏具等を収納する収納部が設けられ、前記安置部もしくは収納部と前記筐体の背面部材との間に、外部から見えないように貴重品等保管用の隠し空間が形成されていることを特徴とする仏壇。
【発明の詳細な説明】
【技術分野】
【０００１】
この発明は、貴重品等を誰にも見つからないよう隠して保管することのできる仏壇に関する。
【背景技術】
【０００２】
前面側が開口する筐体の中央部に崇拝対象となる物品を安置する安置部が配置され、その安置部の下側に、先祖や寺関係の書物類や、勤行に使用する仏具、消耗品を収納しておくための引出し等の収納部が設けられた仏壇が広く一般に知られている。また、特許文献１には、安置部の下側以外に収納部（格納庫）を設けた特殊な仏壇が記載されている。
【特許文献１】特開平１０―２４３８７０号公報
【発明の開示】
【発明が解決しようとする課題】
【０００３】
各種契約書、権利書等のような日常的に取り出すことの少ない重要書類の保管場所として前記仏壇の収納部を利用している家が多い。これは、単に収納部の形状や大きさが重要種類の保管に適しているというだけでなく、仏様やご先祖様に見守られているという安心感にもとづくものであると考えられる。しかしながら、実際に仏壇の収納部に保管すれば安全であるという保証は何ら無い。むしろ、当該収納部には重要種類や貴重品（以下、「貴重品等」とする）が保管されている確立が高いので、例えば空き巣が家に押し入った場合、早い段階で仏壇の収納部が開けられて、貴重品等が盗み出されることが予想される。
【０００４】
斯くの如く、仏壇の収納部は貴重品等の安全な保管場所とは言えないが、当該収納部に貴重品等を保管することによって得られる安心感は得がたいものである。そこで、貴重品等の保管に関して実質的な安全性と精神的な安心感の両方が得られるように、貴重品等を誰にも見つからないよう隠して保管することのできる仏壇を提供することを課題としている。
【課題を解決するための手段】
【０００５】
上記課題に対し、本発明は次のように構成した。すなわち、請求項１に記載の仏壇は、前面側が開口する筐体の内部に崇拝対象となる物品を安置する安置部、もしくは仏具等を収納する収納部が設けられ、前記安置部もしくは収納部と前記筐体の底面部材との間に、外部から見えないように貴重品等保管用の隠し空間が形成されていることを特徴としている。
【０００６】
また、請求項２に記載の仏壇は、前面側が開口する筐体の内部に崇拝対象となる物品を安置する安置部、もしくは仏具等を収納する収納部が設けられ、前記安置部もしくは収納部と前記筐体の側面部材との間に、外部から見えないように貴重品等保管用の隠し空間が形成されていることを特徴としている。
【０００７】
さらに、請求項３に記載の仏壇は、前面側が開口する筐体の内部に崇拝対象となる物品を安置する安置部、もしくは仏具等を収納する収納部が設けられ、前記安置部もしくは収納部と前記筐体の背面部材との間に、外部から見えないように貴重品等保管用の隠し空間が形成されていることを特徴としている。
【発明の効果】
【０００８】
本発明にかかる仏壇の構成とすると、安置部もしくは収納部と筐体の底面部材との間、安置部もしくは収納部と筐体の側面部材との間、及び安置部もしくは収納部と筐体の背面部材との間のいずれかに形成されている隠し空間を貴重品等の保管場所とすることにより、貴重品等を誰にも見つからないように隠して保管することができるとともに、貴重品が仏様やご先祖様に見守られているという安心感を得ることができる。
【発明を実施するための最良の形態】
【０００９】
安置部もしくは収納部と筐体の底面部材との間、安置部もしくは収納部と筐体の側面部材との間、及び安置部もしくは収納部と筐体の背面部材との間のいずれかに、外部から見えないように隠し空間を形成する。この隠し空間は、単に外部から見えないだけでなく、存在することを感じさせないように設ける。
【実施例１】
【００１０】
図１乃至図３は収納部と筐体の底面部材との間に隠し空間を設けた仏壇を表わしている。この仏壇Ａは、仏間の床面に直接設置される自立型の仏壇であって、上下に積み重ねられる仏壇本体１０と下台２０とからなっている。仏壇本体１０及び下台２０はいずれも、前面が開口する筐体１１（２１）を備え、その筐体の前面開口部に観音開き式の一対の扉１２，１２（２２，２２）が取り付けられている。
【００１１】
仏壇本体１０の筐体１１の内部中央部は崇拝対象となる物品の安置部１３となっており、上棚１４の上に崇拝対象となる物品、例えば仏像，位牌等が安置される。また、上棚１４の下方に配置された下棚１５には、仏飯器、香炉、花立て等の仏具が載せられる。下棚１５の下側は、蝋燭、線香等を収納するのに適した引出し１６になっている。下棚１５及び引出し１６は、前後にスライド可能なスライド板１７の上に設けられ、勤行時には、図２において二点鎖線で示すように、扉１２，１２を開けた状態の前面開口部から前方に引き出せるようになっている。天井面には、安置部１３を照らすライト１９と、該ライトの光が仏壇Ａの前に立つ人の目に直接当らないように遮る欄間１８とが取り付けられている。
【００１２】
下台２０の筐体２１の内部は仏具等を収納する収納部２３になっている。収納手段として、取付高さが変更可能な可動棚２４と、その下方に位置する固定棚２５と、該固定棚の下側に設けられた引出し２６とを備えている。
【００１３】
さらに、引出し２６の下側には上方に開口する箱体２７が設けられ、その内部が隠し空間２８として形成されている。隠し空間２８の上方開口部には、着脱可能な蓋２９が取り付けられている。この隠し空間２８は各種契約書、権利書等のような日常的に取り出すことの少ない重要書類の保管場所として好適である。したがって、Ａ４サイズの書類を折り曲げずに収められる程度の広さとしておくのが望ましい。隠し空間２８への書類等の出し入れは、引出し２６を抜き取った状態で行う。下台２０の下端部２０ａは台座状の外観形状をしており、その内側に隠し空間２８が形成されているので、該隠し空間は外部から見えないだけでなく、その存在自体が外部からは窺い知れないようになっている。なお、箱体２７の底板２７ａは筐体２１の底面部材になっている。
【実施例２】
【００１４】
図４乃至図６は収納部と筐体の側面部材との間に隠し空間を設けた仏壇を表わしている。この仏壇Ｂも、実施例１の仏壇Ａと同様に、仏壇本体１０と下台３０とからなる自立型の仏壇である。仏壇Ｂの仏壇本体１０は仏壇Ａのそれと同じ構成であるので、説明を省略する。仏壇Ａ及び仏壇Ｂの互いに対応する各部は同一符合を記してある。
【００１５】
下台３０は、前面が開口する筐体３１を備えてなり、該筐体の内部は仏具等を収納する収納部３３になっている。この収納部３３には引出し３４，…が４段設けられている。各引出し３４，…と筐体３１の左右側面部材３１ａ，３１ａとの間には隙間があり、その隙間の一部が内側に開口する隠し空間３５として形成されている。この隠し空間３５への物品の出し入れは、上から３段目及び４段目の引出し３４，３４を抜き取った状態で行う。通常は引出し３４，…によって隠し空間３５が隠されているので、該隠し空間は全く気付かれない。
【実施例３】
【００１６】
図７乃至図９は安置部と筐体の背面部材との間に隠し空間を設けた仏壇を表わしている。この仏壇Ｃは、箪笥等の家具の上に置かれる上置き型の仏壇で、前面が開口する筐体４１の前面開口部に観音開き式の一対の扉４２，４２が取り付けられている。筐体４１の内部は崇拝対象となる物品の安置部４３となっており、上棚４４の上に例えば仏像，位牌等の崇拝対象物が安置される。また、上棚４４の下方に設けられた前後にスライド可能な下棚４５の上に、仏飯器、香炉、花立て等の仏具が載せられる。天井面には、ライト４６及び欄間４７が取り付けられている。
【００１７】
筐体４１の背面部材４１ａの少し前方に安置部４３の背板４８が設けられ、背面部材４１ａと背板４８との間に隠し空間４９が形成されている。図９において二点鎖線で示すように、背面部材４１ａは左右一端を回動支点にして回動させて開けられるようになっている。下棚４５が最後部に位置するときに背板４８ａと前後同位置になるように当該下棚に背板５０を設けておくと、背板４８が背面部材４１ａであると錯覚されやすいので、隠し空間４９の存在が分かりにくくなる。なお、図示例では、貴重品等の収容ケース５１が隠し空間４９内に収納されている。この収容ケース５１は、通気性及び防虫効果の面から桐製とするのが好ましい。
【産業上の利用可能性】
【００１８】
上記各実施例では、安置部もしくは収納部と筐体の底面部材との間、安置部もしくは収納部と筐体の側面部材との間、及び安置部もしくは収納部と筐体の背面部材との間のいずれかに隠し空間を１箇所にだけ設けた構成としたが、隠し空間を複数箇所に設けてもよい。
【図面の簡単な説明】
【００１９】
【図１】扉を開けた仏壇の正面図である。（実施例１）
【図２】一部を省略して表わしたＡ１−Ａ１断面図である。（実施例１）
【図３】一部を省略して表わしたＡ２−Ａ２断面図である。（実施例１）
【図４】扉を開けた仏壇の正面図である。（実施例２）
【図５】一部を省略して表わしたＢ１−Ｂ１断面図である。（実施例２）
【図６】Ｂ２−Ｂ２断面図である。（実施例２）
【図７】扉を開けた仏壇の正面図である。（実施例３）
【図８】Ｃ１−Ｃ１断面図である。（実施例３）
【図９】Ｃ２−Ｃ２断面図である。（実施例３）
【符号の説明】
【００２０】
Ａ，Ｂ，Ｃ  仏壇
１０  仏壇本体
１１，２１，３１，４１  筐体
１２，２２，４２  扉
１３，４３  安置部
２０  下台
２３，３３  収納部
２７ａ  底板（底面部材）
２８，３５，４９  隠し空間
３１ａ  側面部材
４１ａ  背面部材
【図１】
2007020871.tif 000003
【図２】
2007020871.tif 000004
【図３】
2007020871.tif 000005
【図４】
2007020871.tif 000006
【図５】
2007020871.tif 000007
【図６】
2007020871.tif 000008
【図７】
2007020871.tif 000009
【図８】
2007020871.tif 000010
【図９】
2007020871.tif 000011